(57)【特許請求の範囲】
【請求項１】
棒状でかつ断面四角形状の構造部材をこの端面に固定された断面四角形状の連結金具で他の部材に連結する構造部材の連結構造において、
前記連結金具は箱状に形成され、かつ当該連結金具のうち少なくとも一側面は、前記構造部材の側面より内側に位置しており、この一側面と前記構造部材の側面を延長した面との間に、前記一側面を覆う第１断熱材が設けられており、
前記連結金具のうち少なくとも一側面に開口部が形成され、この開口部から前記連結金具の内部に第２断熱材が充填されており、 
前記連結金具と前記他の部材との間には隙間があり、この隙間に第３断熱材が充填されていることを特徴とする構造部材の連結構造。
【請求項２】
請求項１に記載の構造部材の連結構造において、
前記連結金具の少なくとも一側面に、前記第１断熱材がその表面を前記構造部材の側面と面一にして取り付けられていることを特徴とする構造部材の連結構造。
【請求項３】
請求項１または２に記載の構造部材の連結構造において、
前記連結金具の全ての側面が前記構造部材の側面より内側に位置しており、前記連結金具の少なくとも一側面に前記第１断熱材が取り付けられていることを特徴とする構造部材の連結構造。
【請求項４】
請求項１〜３のいずれか一項に記載の構造部材の連結構造において、
前記連結金具の前記開口部が形成された側面に、前記開口部を塞ぐようにして前記第１断熱材が取り付けられていることを特徴とする構造部材の連結構造。
【発明の詳細な説明】
【技術分野】
【０００１】
本発明は、構造部材をこの端面に固定された連結金具で他の部材に連結する構造部材の連結構造に関する。
【背景技術】
【０００２】
土台と柱（棒状の構造部材）を箱状の連結金具によって連結する連結構造の一例として特許文献１に記載のものが知られている。この連結構造は、柱の下端面に連結金具を固定するとともに、この連結金具を土台に設置して、アンカーボルトによって固定したものである。
柱の下端面に連結金具を固定するには、連結金具に固定ボルトを挿入したうえで、この固定ボルトの上端部を、柱の下端面に形成されかつ接着剤が充填された取付孔に挿入して固定することによって行っている。
【先行技術文献】
【特許文献】
【０００３】
【特許文献１】特開２００９−２０１２号公報
【発明の概要】
【発明が解決しようとする課題】
【０００４】
ところで、上記のような連結金具によって土台と柱とを連結する場合でかつ柱が外壁側に位置する場合、熱橋を防止するために、連結金具の側面に板状の断熱材を取り付けているが、連結金具の側面と柱の側面がほぼ面一であるために、連結金具の側面に取り付けた断熱材がその厚さの分だけ、柱の側面から突出してしまう。柱の側面から断熱材が突出すると、該柱の側面に、周知のパネル工法で使用される外壁パネルを接合したり、柱の側面に外装材を取り付ける場合に、これら外壁パネルや外装材が断熱材と干渉してしまう。この場合、外壁パネルの側端面に前記断熱材を収める凹部を形成したり、外装材を若干外側に配置するなどして、施工しなければならず手間がかかる。
【０００５】
本発明は上記事情に鑑みてなされたもので、連結金具の側面に取り付ける断熱材が構造部材の側面から突出するのを防止できる構造部材の連結構造を提供することを課題としている。
【課題を解決するための手段】
【０００６】
上記課題を解決するために、請求項１に記載の発明は、例えば図１〜図３に示すように、棒状でかつ断面四角形状の構造部材（柱）２０をこの端面に固定された断面四角形状の連結金具１で他の部材（基礎）に連結する構造部材の連結構造において、
前記連結金具１は箱状に形成され、かつ当該連結金具１のうち少なくとも一側面（例えば側面１ａ，１ｃ）は、前記構造部材２０の側面２０ａより内側に位置しており、この一側面と前記構造部材２０の側面を延長した面との間に、前記一側面を覆う第１断熱材２５が設けられており、
前記連結金具１のうち少なくとも一側面１ａに開口部１ｂが形成され、この開口部１ｂから前記連結金具１の内部に第２断熱材２６が充填されており、
前記連結金具１と前記他の部材との間には隙間Ｓがあり、この隙間Ｓに第３断熱材２７が充填されていることを特徴とする。
【０００７】
請求項１に記載の発明によれば、前記連結金具１のうち少なくとも一側面（例えば側面１ａ，１ｃ）は、前記構造部材２０の側面２０ａより内側に位置しており、この一側面と、前記構造部材２０の側面を延長した面との間に、前記一側面を覆う第１断熱材２５が設けられているので、第１断熱材２５，２５が構造部材２０の側面２０ａから突出するのを防止できる。
また、連結金具１の内部に開口部１ｂから容易に第２断熱材２６を充填できるとともに、より確実に熱橋を防止できる。
【０００８】
請求項２に記載の発明は、請求項１に記載の構造部材の連結構造において、
前記連結金具１の少なくとも一側面（例えば側面１ａ，１ｃ）に、前記第１断熱材２５がその表面を前記構造部材２０の側面２０ａと面一にして取り付けられていることを特徴とする。
【０００９】
請求項２に記載の発明によれば、連結金具１の少なくとも一側面（例えば側面１ａ，１ｃ）に、前記第１断熱材２５がその表面を前記構造部材２０の側面２０ａと面一にして取り付けられているので、前記第１断熱材２５，２５が構造部材２０の側面２０ａから突出するのを防止できるとともに、第１断熱材２５，２５の表面と構造部材２０の側面２０ａとが面一になるので、これらに外装材を容易に取り付けることができる。
【００１０】
請求項３に記載の発明は、請求項１または２に記載の構造部材の連結構造において、
前記連結金具１の全ての側面１ａ，１ａ，１ｃ，１ｃが前記構造部材２０の側面２０ａより内側に位置しており、前記連結金具１の少なくとも一側面に前記第１断熱材２５が取り付けられていることを特徴とする
【００１１】
請求項３に記載に発明によれば、前記連結金具１の全ての側面１ａ，１ａ，１ｃ，１ｃが前記構造部材２０の側面２０ａより内側に位置しており、前記連結金具１の少なくとも一側面に前記第１断熱材２５が取り付けられているので、構造部材２０の向きや位置に対応して所望の側面に第１断熱材２５を取り付けることができる。
【００１４】
請求項４に記載の発明は、請求項１〜３のいずれか一項に記載の構造部材の連結構造において、
前記連結金具１の前記開口部１ｂが形成された側面１ａに、前記開口部１ｂを塞ぐようにして前記第１断熱材２５が取り付けられていることを特徴とする。
【００１５】
請求項４に記載の発明によれば、第１断熱材２５によって連結金具１の開口部１ｂが塞がれているので、熱橋をより確実に防止できるとともに、第２断熱材２６を連結金具１内に確実に封じ込めることができる。
【発明の効果】
【００１６】
本発明によれば、連結金具のうち少なくとも一側面が、構造部材の側面より内側に位置しており、この一側面と、前記構造部材の側面を延長した面との間に、前記一側面を覆う第１断熱材が設けられているので、第１断熱材が構造部材のから突出するのを防止できる。
【図面の簡単な説明】
【００１７】
【図１】本発明に係る構造部材の連結構造の一例を示すもので、その断面図である。
【図２】同、斜視図である。
【図３】同、連結金具と第１断熱材を示す斜視図である。
【図４】同、第１断熱材の取付方が異なる断面図である。
【図５】同、第１断熱材の取付方がさらに異なる断面図である。
【図６】同、構造部材としての２階の柱を１階の柱に連結した状態を示す断面図である。
【発明を実施するための形態】
【００１８】
以下、図面を参照して本発明の実施の形態について説明する。
図１は本発明に係る構造部材の連結構造の一例を示す断面図、図２は同斜視図、図３は連結金具と第１断熱材の斜視図である。
【００１９】
まず、図３を参照して連結金具１について説明する。
連結金具１は、直方体箱状に形成された鉄製のものであり、その対向する二つの側面１ａ，１ａにはそれぞれ開口部１ｂ，１ｂが形成されている。開口部１ｂ，１ｂは対向する一対の側面ほぼ全体に形成されたものであり、スパナやレンチ、ドライバー等の工具を連結金具１内に挿入できるようになっている。
また、他方の対向する側面１ｃ，１ｃおよび前記側面１ａ，１ａは、後述する第１断熱材２５が取り付けられる取付面１ｃ，１ａとなっている。なお、側面１ｃ（取付面１ｃ）は長方形状の側面１ｄと上下のコ字型の側面１ｅ，１ｅによって構成されている。
連結金具１の上壁の中央部には、後述する固定ボルト２１の先端部（下端部）が挿通される孔２が形成されており、下壁の中央部には、後述するアンカーボルト１４が挿通される孔３が孔２と同軸に形成されている。
【００２０】
次に、本発明に係る構造部材の連結構造について図１および図２を参照して説明する。
基礎１０の上面には、台輪１１を介して半土台１２と床パネル１３が設置されており、これら半土台１２と床パネル１３との接合部には、基礎１０に埋設されて、この基礎１０の上面から突出するアンカーボルト１４が挿通され、このアンカーボルト１４の上端部は半土台１２および床パネル１３の上面から突出している。なお、床パネル１３は框材を矩形枠状に組み立てるとともに、この枠体の内部に補強桟材を組み付け、さらに、枠体の上面に合板等からなる面材を貼り付けたものである。
【００２１】
前記半土台１２と床パネル１３の接合部の上方には、前記連結金具１が配置されており、この連結金具１の孔３にアンカーボルト１４の上端部が下方から挿通されている。アンカーボルト１４の上端部には、上下二つのナット１６，１７が螺合されており、下のナット１７は連結金具１の下壁の下面に当接し、上のナット１６は同下壁の上面に当接している。下のナット１７は、アンカーボルト１４の上端部を連結金具１の孔３に挿通する前に、該アンカーボルト１４に螺合され、上のナット１６はアンカーボルト１４の上端部を連結金具１の孔３に挿通した後に、連結金具１の開口部１ｂから挿入して螺合されている。そして、スパナやレンチ等の工具を前記開口部１ｂから連結金具１内に挿入して上のナット１６を締め付けるとともに、連結金具１の下壁と床パネル１３との間の隙間から挿入して下のナット１７を締め付けることによって、連結金具１がアンカーボルト１４の上端部に固定されている。
【００２２】
連結金具１の上壁には、棒状でかつ断面正方形状の構造部材としての柱２０が設置されている。連結金具１の孔２には固定ボルト２１が上方から挿通されており、当該固定ボルト２１の下端部にはナット２２が連結金具１の開口部１ｂから挿入されて螺合されている。また、柱２０の下端面の中央部には、取付孔２３が柱２０の軸方向に延在して形成されている。取付孔２３は固定ボルト２１より若干大径に形成されるとともに、接着剤が充填されている。
そして、取付孔２３に連結金具１の上壁から突出する固定ボルト２１が挿入されることによって、柱２０の下端面に連結金具１が取り付け固定されている。なお、前記接着剤が硬化した後、ナット２２を締め付けることによって柱２０の下端面に連結金具１が強固に固定されている。
【００２３】
前記連結金具１は、その横断面が正方形状に形成されたものであり、その横断面の大きさが柱２０の正方形状の横断面より小さくなっている。そして、連結金具１は柱２０の下端面に同軸に固定されている。これによって、連結金具１の全ての側面１ａ，１ａ，１ｃ，１ｃが柱２０の、前記側面１ａ，１ａ，１ｃ，１ｃと同じ方向を向くそれぞれの側面２０ａより内側に位置している。そして、これら側面１ａ，１ａ，１ｃ，１ｃがそれぞれ取付面１ａ，１ａ，１ｃ，１ｃとなっている。
【００２４】
前記連結金具１の側面１ａ，１ａ，１ｃ，１ｃと、柱２０の４つの側面２０ａを延長した面との間に、第１断熱材２５が設けられている。つまり、連結金具１の取付面１ａ，１ａ，１ｃ，１ｃには、第１断熱材２５，２５が取り付けられている。
第１断熱材２５は平板状の断熱材２５ａ，２５ａを平面視Ｌ型に接合して形成されたものであり、断熱板２５ａの上下の長さは、連結金具１の上下の長さより長くなっている。つまり、断熱材２５ａは、連結金具１の上下の長さに、連結金具１の下壁の下面と床パネル１３の上面との間の隙間Ｓの上下の長さを加えた長さとなっている。
また、断熱材２５ａの幅は、連結金具１の側面１ａ，１ｃの幅と等しくなっている。
【００２５】
そして、連結金具１の互いに直交する一方の側面（取付面）１ａ，１ｃに、一方のＬ型の第１断熱材２５がそれらの上端を合せて接着剤によって取り付けられ、互いに直交する他方の側面（取付面）１ａ，１ｃに、他方のＬ型の第１断熱材２５がそれらの上端を合せて接着剤によって取り付けられている。
したがって、連結金具１の開口部１ｂ，１ｂは第１断熱材２５の断熱材２５ａ，２５ａによって塞がれている。
また、第１断熱材２５は、連結金具１の取付面１ｃ（１ａ）と、柱２０の側面２０ａの段差分の厚さに形成されており、これによって、第１断熱材２５はその表面を柱２０の側面２０ａと面一にして取り付けられている。
また、連結金具１の下端から下方に突出する第１断熱材２５の下端部は半土台１２および床パネル１３の上面に当接されている。
【００２６】
前記連結金具１の内部には、開口部１ｂから第２断熱材２６が充填されている。この第２断熱材２６はロックウールやガラスウール等で形成された柔軟なものであり、開口部１ｂを前記第１断熱材２５によって塞ぐ前に、開口部１ｂから連結金具１の内部に充填されている。
さらに、連結金具１の下壁の下面と床パネル１３の上面との間の隙間Ｓには、第３断熱材２７が充填されている。この第３断熱材２７はロックウールやガラスウール等で形成された柔軟なものであり、隙間Ｓを前記第１断熱材２５によって塞ぐ前に該隙間Ｓに充填されている。
なお、第２断熱材２６および第３断熱材２７を、連結金具１の内部および隙間Ｓに充填する場合、一方の第１断熱材２５を取り付けた後充填し、その後、他方の第１断熱材２５を取り付けるようにする。
【００２７】
本実施の形態によれば、連結金具１の全ての側面１ａ，１ａ，１ｃ，１ｃが、構造部材２０の側面２０ａより内側に位置しており、この側面１ａ，１ａ，１ｃ，１ｃと、前記構造部材２０の側面２０ａを延長した面との間に、側面１ａ，１ａ，１ｃ，１ｃを覆う第１断熱材２５が前記側面１ａ，１ａ，１ｃ，１ｃに取り付けられて、設けられているので、第１断熱材２５，２５が構造部材２０の側面２０ａから突出するのを防止できる。
また、第１断熱材２５，２５の表面と柱２０の側面２０ａとが面一になるので、これらに外装材を容易に取り付けることができる。
さらに、連結金具１の全ての側面１ａ，１ａ，１ｃ，１ｃが取付面１ａ，１ａ，１ｃ，１ｃとなっているので、取付面１ａ，１ａ，１ｃ，１ｃの少なくと一面に、第１断熱材２５の断熱材２５ａを取り付けることができる。したがって、柱２０の位置や向きの向きに対応して所望の取付面に断熱材２５ａを取り付けることができる。
【００２８】
また、連結金具１は箱状に形成され、かつ対向する側面１ａ，１ａに開口部１ｂ，１ｂが形成されており、連結金具１の内部に開口部１ｂ，１ｂから第２断熱材２６が充填されているので、連結金具１の内部に開口部１ｂから容易に第２断熱材２６を充填できるとともに、より確実に熱橋を防止できる。
さらに、連結金具１の開口部１ｂ，１ｂが形成された側面１ａ，１ａに、開口部１ｂ，１ｂを塞ぐようにして第１断熱材２５，２５が取り付けられているので、熱橋をより確実に防止できるとともに、第２断熱材２５，２５を連結金具１内に確実に封じ込めることができる。
また、連結金具１の下壁と床パネル１３の上面との間の隙間Ｓに、第３断熱材２７が充填されるとともに、この隙間Ｓは前記第１断熱材２５，２５によって塞がれているので、これら隙間Ｓによる熱橋を確実に防止できる。
【００２９】
なお、本実施の形態では、連結金具１の全ての側面１ａ，１ａ，１ｃ，１ｃに、第１断熱材２５，２５を取り付けたが、柱２０の位置や向きによっては、連結金具１の全ての側面のうち少なくとも一側面に、長方形板状の第１連結材（例えば前記第１断熱材２５を構成する断熱材２５ａ）を取り付ければよい。例えば、柱１が外壁の幅方向中央部にある場合、連結金具１の、外側を向く側面にのみ第１断熱材を取り付けてもよいし、外側を向く側面とこの側面に直交する二つの側面に第１断熱材を取り付けてもよい。この場合、第１断熱材を長方形板状に形成すればよい。
また、本実施の形態では、連結金具１の全ての側面１ａ，１ａ，１ｃ，１ｃを柱２０の側面２０ａより内側に位置する取付面１ａ，１ａ，１ｃ，１ｃとしたが、第１断熱材を取り付ける側面が一つの場合、この側面のみを柱２０の側面２０ａより内側に位置する取付面とし、この取付面に第１断熱材を取り付けてもよい。
また、本実施の形態では、棒状の構造部材として柱２０を例にとって説明したが、棒状の構造部材は、梁や桁等であってもよい。
【００３０】
また、本実施の形態では、第１断熱材２５を連結金具１の側面に取り付けたが、図４に示すように、第１断熱材２５を柔軟性を有する素材で形成し、この第１断熱材２５を柱２０の下端部から延出させたうえで、連結金具１の側面に向けて滑らかに曲げて、連結金具１の側面に沿わせ、この側面に取り付けてもよい。
また、図５に示すように、柱２０の下端部側面に、断面矩形状の切欠部２０ｂを柱２０の側面２０ａから第１断熱材２５の厚さ分だけ深く形成し、この切欠部２０ｂと連結金具１の側面１ａ，１ｃに第１断熱材２５を取り付けてもよい。この場合、第１断熱材２５は柔軟なものでなくてもよい。また、切欠部２０ｂの柱２０の下端面からの長さは、第１断熱材２５の連結金具１の上面からの突出長さとほぼ等しくなっている。
【００３１】
さらに、本実施の形態では、柱２０を連結金具１によって基礎１０に連結する場合を例にとって説明したが、図６に示すように、２階の柱２０を連結金具１によって１階の柱３０に連結してもよい。
この場合、２階の床を構成する床パネル３１から１階の柱３０の上端部まで延びる貫通孔３２を形成しておき、この貫通孔３２に連結ボルト３３を挿通し、この連結ボルト３３の上端部を前記連結金具１に連結すればよい。１階の柱３０の上端部には高ナット３４がはめ込まれており、この高ナット３４に連結ボルト３３を螺合されている。また、貫通孔３２には接着剤が充填されており、貫通孔３２に挿通された連結ボルト３３は接着剤によって貫通孔３２に固定されている。
また、２階の柱２０，２０間には壁パネル３５が配置されており、この壁パネル３５の両側端面がそれぞれ柱２０，２０の側面に接合固定され、下端面が床パネル３１に接合固定されている。
なお、図６において符号３６は１階の壁を構成する壁パネル、３７は上弦材、３８は腹材を示す。腹材３８の下面には図示しない下弦材が固定されており、上弦材３７、腹材３８、下弦材によって複合梁が形成されている。
また、図１と共通する部材には同一符号を付してその説明を省略する。
【符号の説明】
【００３２】
１  連結金具
１ａ，１ｃ  側面
１ｂ  開口部
１０  基礎（他の部材）
２０  柱（構造部材）
２０ａ  側面
２５  第１断熱材
２６  第２断熱材
３０  １階の柱（他の部材）
【図１】
0005528078.tif 000002
【図２】
0005528078.tif 000003
【図３】
0005528078.tif 000004
【図４】
0005528078.tif 000005
【図５】
0005528078.tif 000006
【図６】
0005528078.tif 000007